(57)【要約】【課題】板状脚部を用いても、釘状脚部を用いても、両者に共通して使用可能な竪樋把持部を含む竪樋支持具を提供する。【解決手段】竪樋を把持する把持部１と、この把持部１を建物の外壁面Ｗに取付ける脚部とからなる竪樋の支持具において、該把持部１の外壁面Ｗ側には、上記脚部を受ける受脚部１１が一体的に凸設されるとともに、この受脚部１１には上下に貫通する長孔１１１と、この長孔１１１と直交する貫通孔１１２が設けられていることを特徴とする。上記脚部は、板状脚部２、釘状脚部３とされる。【選択図】図１
2004232194.tif 000002
【特許請求の範囲】
【請求項１】
竪樋を把持する把持部と、この把持部を建物の外壁面に取付ける脚部とからなる竪樋の支持具において、該把持部の外壁面側には、上記脚部を受ける受脚部が一体的に凸設されるとともに、この受脚部には上下に貫通する長孔と、この長孔と直交する貫通孔が設けられていることを特徴とする竪樋支持具。
【請求項２】
上記脚部が板状の係止部を有する板状脚部である請求項１に記載の竪樋支持具。
【請求項３】
上記脚部が釘状脚部である請求項１に記載の竪樋支持具。
【請求項４】
上記竪樋が角筒型である請求項１に記載の竪樋支持具。
【請求項５】
上記把持部が弾性を有する合成樹脂から構成される請求項１に記載の竪樋支持具。
【発明の詳細な説明】
【０００１】
【発明の属する技術分野】
本発明は、竪樋支持具に関する。さらに詳しくは、竪樋を把持する把持部と、この把持部を建物の外壁面に取付ける脚部とからなる竪樋支持具に関する。
【０００２】
【従来の技術】
従来、竪樋支持具の構造に関しては、各種の先行技術が提案されている（例えば、特許文献１、２参照。）。
【０００３】
【特許文献１】
実開昭６４−５７２３１号公報（第１頁、第１図、第２図）
【特許文献２】
実開昭６４−５７２３２号公報（第１頁、第１図、第３図）
【０００４】
【発明が解決しようとする課題】
上記先行技術には、竪樋把持環を釘桿を用いて外壁面に取付ける釘状の脚部が開示されており、他方、側面視カギ型をした板状の脚部の係止部を、竪樋把持環に設けられた長孔に挿入し、外壁面に取付ける装置、あるいは、竪樋把持環をユニバーサルジョイント構造を持つ固定部を介して凹凸や不陸のある外壁面に揺動自在に係止する装置等、種々の技術が知られている。本発明は、上記した公知の装置の中で、釘桿等釘状の脚部を用いても、板状係止部を有する板状の脚部を用いても、両者に共通して使用可能な竪樋把持部を含む竪樋支持具を提供することをその課題とする。
【０００５】
【課題を解決するための手段】
上記課題を解決するために、本発明においては、つぎのような技術的手段を講じている。すなわち、本発明によれば、竪樋を把持する把持部と、この把持部を建物の外壁面に取付ける脚部とからなる竪樋の支持具において、該把持部の外壁面側には、上記脚部を受ける受脚部が一体的に凸設されるとともに、この受脚部には上下に貫通する長孔と、この長孔と直交する貫通孔が設けられていることを特徴とする竪樋支持具が提供される。このようにすることによって、板状係止部を有する板状脚部あるいは、釘桿等、釘状脚部の両者に共通して使用可能な竪樋把持部を含む竪樋支持具を提供することができる。
【０００６】
上記脚部は、板状の係止部を有する板状脚部とすることが好ましい。すなわち、長方形の金属板の両端を反対方向に折り曲げて側面視カギ型の板状脚部とし、その一端を上記長孔に挿入、係止する係止部とするとともに、他端を外壁面に固定する固定部とすることにより、竪樋把持部をしっかりと外壁面に取付けることができる。また、長方形の金属板の両端を同方向に折り曲げて、上部が開口した側面視コの字型の板状脚部としても、同様な効果を得ることができる。
【０００７】
上記脚部を釘状脚部とすることが好ましい。釘状脚部を上記長孔と直交する貫通孔に挿通し、受脚部を固定することにより、竪樋把持部をしっかりと外壁面に取付けることができる。また、釘状脚部に替えて、脚部としてビスを用い、このビスを貫通孔に挿通してビス留めしても、同様な効果を得ることができる。
【０００８】
上記竪樋が角筒型であることが好ましい。平断面が略正方形、あるいは略正八角形等の角筒型とすることによって、本発明にかかる竪樋支持具を、上記竪樋に好ましく適用することができる。また、上記把持部が弾性を有する合成樹脂から構成されることが好ましい。たとえば、ポリカーボネート、ポリプロピレン等の弾性を有する合成樹脂で上記把持部を形成することにより、竪樋が弾性的に把持されるとともに、把持部に無理な力が加わっても、弾性変位して逃がし、弾性復帰することができる。
【０００９】
【発明の実施の形態】
以下、把持部と脚部とからなる、本発明にかかる竪樋支持具の好ましい実施の形態について図面を参照して、さらに詳細に説明する。図１（ａ）は、竪樋を把持する把持部１を示す斜視図である。図１（ｂ）、（ｃ）は、把持部１を建物の外壁面に取付ける板状脚部２、釘状脚部３をそれぞれ示す斜視図である。
【００１０】
図１（ａ）において、把持部１は、受け側部材１２と、止め側部材１３とに分割され、ヒンジ１４を介して、止め側部材１３が、受け側部材１２に回動自在に取付けられている。受け側部材１２の一端には嵌合突起部１２１が設けられ、また、止め側部材１３の一端には、嵌合係止部１３１が設けられ、互いに嵌合可能とされている。このとき、受け側部材１２および止め側部材１３は、弾性を有する合成樹脂から形成されているため、嵌合突起部１２１と嵌合係止部１３１とは、相互に弾性的に嵌合し、竪樋をしっかりと把持する。
【００１１】
図１（ａ）からよくわかるように、受け側部材１２には脚部を受ける受脚部１１が一体的に凸設されるとともに、この受脚部１１には上下に貫通する長孔１１１と、この長孔１１１と直交する貫通孔１１２が設けられている。すなわち、図１（ｂ）に示す、側面視カギ型の板状脚部２を脚部として使用するときは、その係止部２１を上記長孔１１１に、下方から挿入して把持部１を係止し、その固定部２２を外壁面Ｗに固定用ビスＢで、しっかりと固定する。一方、図１（ｃ）に示す釘状脚部３を用いるときは、上記長孔１１１と直交する貫通孔１１２に釘状脚部３を挿通して打ち込み、把持部１を外壁面Ｗに取付ける。このとき、貫通孔１１２の竪樋側には、座ぐり部１１３が凹設されている。
【００１２】
図２は、板状脚部２を使用して把持部１を係止し、板状脚部２の固定部２２を外壁面Ｗに固定用ビスＢにより固定した状態を示す側断面図である。図３は、上記長孔１１１と直交する貫通孔１１２に釘状脚部３を挿通して打ち込み、把持部１を外壁面Ｗに取付けた状態を示す側断面図である。図３において、座ぐり部１１３を設けることによって、釘状脚部３の頭が突出せず、面一となっていることが明らかである。
【００１３】
図２において、板状脚部２は、その係止部２１を下から上方向に挿入しているが、長孔１１１を係止部２１に対してタイトに形成し、上から下方向に挿入してもよい。さらに、板状脚部２の形状はカギ型に限られず、上部が開口したコの字型としてもよい。また、図３において、釘状脚部３に替えて脚部としてビスを用い、ビス留めとしてもよい。このように、板状脚部２および釘状脚部３の形状は、種々設計変更可能である。
【００１４】
以上説明したように、本発明の竪樋支持具は、一つの把持部１を板状脚部２と釘状脚部３の２種類の脚部に共通して使用可能とされている。その結果、一つの金型で把持部１を成形することによって、２種類の脚部に対応できるため、金型投資費用を大きく削減できるという効果が得られる。また、図２、図３からよくわかるように、外壁面と竪樋との距離に応じて、板状脚部２と釘状脚部３の使い分けが可能となり、施工現場の状況に合わせて効率よく作業性を行うことができる。
【００１５】
【発明の効果】
以上述べたように、請求項１に記載の発明は、竪樋を把持する把持部１と、この把持部１を建物の外壁面Ｗに取付ける脚部とからなる竪樋の支持具において、該把持部１の外壁面Ｗ側には、上記脚部を受ける受脚部１１が一体的に凸設されるとともに、この受脚部１１には上下に貫通する長孔１１１と、この長孔１１１と直交する貫通孔１１２が設けられていることを特徴とする竪樋支持具である。このようにすることによって、板状係止部を有する板状脚部２あるいは、釘桿等、釘状脚部３の両者に共通して使用可能な竪樋把持部１を含む竪樋支持具を提供することができる。
【００１６】
請求項２に記載の発明は、上記脚部が、板状の係止部２１を有する板状脚部２とされる。すなわち、長方形の金属板の両端を反対方向に折り曲げて側面視カギ型の板状脚部２とし、その一端を上記長孔１１１に挿入、係止する係止部２１とするとともに、他端を外壁面Ｗに固定する固定部２２とすることにより、請求項１に記載の発明の効果に加えて、竪樋把持部１をしっかりと外壁面Ｗに取付けることができる。また、長方形の金属板の両端を同方向に折り曲げて、上部が開口した側面視コの字型の板状脚部２としても、同様な効果を得ることができる。
【００１７】
請求項３に記載の発明は、上記脚部が釘状脚部３とされる。釘状脚部３を上記長孔１１１と直交する貫通孔１１２に挿通し、受脚部１１を固定することにより、請求項１に記載の発明の効果に加えて、竪樋把持部１をしっかりと外壁面Ｗに取付けることができる。また、釘状脚部３に替えて、脚部としてビスを用い、このビスを貫通孔１１２に挿通してビス留めしても、同様な効果を得ることができる。
【００１８】
請求項４に記載の発明は、上記竪樋が角筒型とされる。平断面が略正方形、あるいは略正八角形等の角筒型とすることによって、請求項１に記載の発明の効果に加えて、本発明にかかる竪樋支持具を、上記竪樋に好ましく適用することができる。
【００１９】
請求項５に記載の発明は、上記把持部１が弾性を有する合成樹脂から構成される。たとえば、ポリカーボネート、ポリプロピレン等の弾性を有する合成樹脂で上記把持部１を形成することにより、請求項１に記載の発明の効果に加えて、竪樋が弾性的に把持されるとともに、把持部１に無理な力が加わっても、弾性変位して逃がし、弾性復帰することができる。
【図面の簡単な説明】
【図１】（ａ）  本発明の竪樋支持具を構成する把持部を示す斜視図である。
（ｂ）  上記把持部を建物の外壁面に取付ける板状脚部を示す斜視図である。
（ｃ）  上記把持部を建物の外壁面に取付ける釘状脚部を示す斜視図である。
【図２】板状脚部を使用して把持部を外壁面に取付けた状態を示す側断面図である。
【図３】釘状脚部を使用して把持部を外壁面に取付けた状態を示す側断面図である。
【符号の説明】
１          把持部
１１        受脚部
１１１      長孔
１１２      貫通孔
１１３      座ぐり部
１２        受け側部材
１２１      嵌合突起部
１３        止め側部材
１３１      嵌合係止部
１４        ヒンジ
２          板状脚部
２１        係止部
２２        固定部
３          釘状脚部
Ｗ          外壁面
Ｂ          固定用ビス
【図１】
2004232194.tif 000003
【図２】
2004232194.tif 000004
【図３】
2004232194.tif 000005